(57)【要約】【課題】隣接する構造体どうしの相対的な動きを吸収して渡り床板を保持できながら、地震時でも渡り床板上の歩行を容易に実施できるようにする。【解決手段】相対的に異なる動きをし得る構造体Ｂ間にわたって、移動自在に渡り床材１を設けて構成してあるエキスパンションジョイントにおいて、渡り床材１は、一端側を一方の構造体Ｂ１に対して縦軸芯周りに揺動自在に取り付けてあると共に、他端側を他方の構造体Ｂ２に対して摺動自在に載置されている。【選択図】図１
2009179967.tif 000002
【特許請求の範囲】
【請求項１】
相対的に異なる動きをし得る構造体間にわたって、移動自在に渡り床材を設けて構成してあるエキスパンションジョイントであって、
前記渡り床材は、一端側を一方の構造体に対して縦軸芯周りに揺動自在に取り付けてあると共に、他端側を他方の構造体に対して摺動自在に載置されているエキスパンションジョイント。
【請求項２】
前記渡り床材と前記一方の構造体との枢支軸部に、前記渡り床材と前記一方の構造体との相対回転に減衰力を与える回転型ダンパーが設けてある請求項１に記載のエキスパンションジョイント。
【請求項３】
前記渡り床材の側縁部側に立設してある前記構造体の壁部に、前記渡り床材の前記縦軸芯周りの揺動に伴って、前記渡り床材の側縁部がめり込んで、前記渡り床材の揺動に減衰力を与えるめり込み許容部が設けてある請求項１又は２に記載のエキスパンションジョイント。
【発明の詳細な説明】
【技術分野】
【０００１】
本発明は、相対的に異なる動きをし得る構造体間にわたって、移動自在に渡り床材を設けて構成してあるエキスパンションジョイントに関する。
【背景技術】
【０００２】
従来、この種のエキスパンションジョイントとしては、地震等によって隣接する構造体どうしが相対的に異なる動きをした場合でも、双方にわたって通路を確保できる必要があり、両構造体の相対的に異なる動きを、渡り床材の移動によって吸収できるようにしたものがあった（例えば、特許文献１参照）。
具体的には、図６、図７に示すように、両構造体Ｂに、縦軸芯周りに回転自在な状態にそれぞれディスク体２０を取り付け、それらディスク体２０にわたって、偏芯位置で回転自在な状態に渡り床板１を架設してある。
そして、例えば、両構造体Ｂの動きが、相対的に平行方向に沿っている場合には、図６（Ａ）（Ｂ）に示すように、前記渡り床板１が、ディスク体２０による偏芯枢支軸芯周りに揺動するような挙動を示す。また、両構造体Ｂの動きが、相対的に遠近方向に沿っている場合には、図７（Ａ）（Ｂ）に示すように、前記ディスク体２０は、その幅方向に移動するような挙動を示す。
【０００３】
【特許文献１】特開２０００−２６５５７５号公報（図１〜４）
【発明の開示】
【発明が解決しようとする課題】
【０００４】
上述した従来のエキスパンションジョイントによれば、両構造体が相対的に遠近方向に沿って移動する場合には、上述のとおり、渡り床板が、その幅方向に移動するわけであるが、その幅方向の動きは、渡り床板上を通行する人の歩行方向と直交しているから平衡感覚を失い易く、極めて歩き難い。そして、渡り床板の幅方向への移動量は、前記ディスク体の回転によって決まるが、回転角度は同じであっても、渡り床板の幅方向移動量は、ディスク体の回転位置によって異なった値となり、一定とならないから、地震時に、渡り床板が幅方向に不均等な早さで動き、尚更、平衡感覚を失い易く、エキスパンションジョイントに、渡り廊下歩行時の安全性の確保が必要となる問題点もある。
【０００５】
従って、本発明の目的は、上記問題点を解消し、隣接する構造体どうしの相対的な動きを吸収して渡り床板を保持できながら、地震時でも渡り床板上の歩行を容易に実施し易いエキスパンションジョイントを提供するところにある。
【課題を解決するための手段】
【０００６】
本発明の第１の特徴構成は、相対的に異なる動きをし得る構造体間にわたって、移動自在に渡り床材を設けて構成してあるエキスパンションジョイントにおいて、前記渡り床材は、一端側を一方の構造体に対して縦軸芯周りに揺動自在に取り付けてあると共に、他端側を他方の構造体に対して摺動自在に載置されているところにある。
【０００７】
本発明の第１の特徴構成によれば、前記渡り床材は、一端側を一方の構造体に対して縦軸芯周りに揺動自在に取り付けてあると共に、他端側を他方の構造体に対して摺動自在に載置されているから、前記渡り床材は、その他端側が前記他方の構造体上を摺動移動することができ、両構造体どうしの相対的な移動をその摺動移動によって吸収して、地震時でも、渡り床材によって通路を確保することができる。
そして、特に、従来において歩行し難くなる地震振動方向（両構造体が遠近方向に相対移動するような方向）においては、渡り床材は、その幅方向には移動せずに、他端側が前記遠近方向に沿って前記他方の構造体上を摺動するだけの挙動を示すから、渡り床材上を通行する人は、地震時でも平衡感覚を保ったまま容易に歩行することができる。
【０００８】
本発明の第２の特徴構成は、前記渡り床材と前記一方の構造体との枢支軸部に、前記渡り床材と前記一方の構造体との相対回転に減衰力を与える回転型ダンパーが設けてあるところにある。
【０００９】
本発明の第２の特徴構成によれば、本発明の第１の特徴構成による上述の作用効果を叶えることができるのに加えて、地震や風等による揺れに対して、前記回転型ダンパーによるエネルギー吸収効果を発揮して、エキスパンションジョイントとしての振動減衰を図れる。また、渡り床材の枢支軸部に回転型ダンパーを納めてあるから、ダンパーそのものを目立ち難い状態に設置でき、意匠性の向上を図ることができる。
【００１０】
本発明の第３の特徴構成は、前記渡り床材の側縁部側に立設してある前記構造体の壁部に、前記渡り床材の前記縦軸芯周りの揺動に伴って、前記渡り床材の側縁部がめり込んで、前記渡り床材の揺動に減衰力を与えるめり込み許容部が設けてあるところにある。
【００１１】
本発明の第３の特徴構成によれば、本発明の第１又は２の特徴構成による上述の作用効果を叶えることができるのに加えて、地震時に、前記めり込み許容部によるエネルギー吸収効果を発揮して、エキスパンションジョイントとしての振動減衰を図れる。また、めり込み許容部は、日頃は壁部の一部として存在しているから、単独のダンパーを露出させて設けてあるのに比べて目立ち難い状態に設置でき、意匠性の向上を図ることができる。
そして、上述の回転型ダンパーとの組み合わせによれば、更に高いダンパー効果を期待することができる。
【発明を実施するための最良の形態】
【００１２】
以下に本発明の実施の形態を図面に基づいて説明する。尚、図面において従来例と同一の符号で表示した部分は、同一又は相当の部分を示している。
【００１３】
図１、図２は、本発明のエキスパンションジョイントの一実施形態を示すもので、当該エキスパンションジョイントＪは、相対的に異なる動きをし得る構造体Ｂ間にわたって設けられた渡り通路に組み込まれている。
そして、エキスパンションジョイントＪは、一方の構造体Ｂ１と他方の構造体Ｂ２とにわたって移動自在に架設された渡り床材１を設けて構成してある。
【００１４】
前記渡り床材１は、図１、図２に示すように、帯状の板体で構成してあり、その一端側の幅方向の中央には、下面側に突出する状態に枢支軸１ａが形成されている。
また、渡り床材１の一端側端縁部は、前記枢支軸１ａを中心とした半円形に成形してある。
従って、前記枢支軸１ａを中心として渡り床材１が揺動する際に、角が無いことで他部に引っ掛かり難く、スムースに揺動させることが可能となる。但し、渡り床材１の端縁部の形状は、ここで説明したものに限るものではなく、例えば、半円形に替えて、四角形や台形等であってもよい。
【００１５】
前記一方の構造体Ｂ１の床面は、平坦に形成してあり、通路幅のほぼ中央部分には、前記渡り床材１の枢支軸１ａを内嵌させる枢支穴２が形成してある。
この枢支穴２に、前記枢支軸１ａを内嵌させることによって、渡り床材１を枢支軸１ａ周りに揺動自在な状態にセットすることが可能となる。
前記枢支軸１ａと枢支穴２とによって枢支軸部Ｓが構成されている。
【００１６】
前記他方の構造体Ｂ２の床面も、一方の構造体Ｂ１と同様に平坦に形成してあり、その床面上には、前記渡り床材１の他端側部分が摺動自在に載置されている。
従って、渡り床材１は、例えば、地震や風等の外力の作用で、両構造体Ｂが相対的に異なる動きをしても、他端側が床面上を摺動することで応力集中を回避でき、通路を確保することができる。
また、その際の摺動パターンは、両構造体Ｂどうしの動き方によって異なる。
【００１７】
次に、渡り床材１の摺動パターンについて、（１）パターン：両構造体Ｂどうしが、平面視で遠近方向（以後、単に遠近方向という）に沿って相対移動する場合、（２）パターン：両構造体Ｂどうしが、平面視で前記遠近方向に直交する方向（以後、単に平行方向という）に沿って相対移動する場合の２種類について説明する。
【００１８】
（１）パターン
両構造体Ｂどうしの前記遠近方向に沿った相対移動に伴って、図３（Ａ）に示すように、渡り床材１の他端側が、他方の構造体Ｂ２の床面上を、前記遠近方向に沿って摺動する。この場合、渡り床材１は、その幅方向への移動はしないから、歩行する人は、平衡感覚を維持したまま真っ直ぐ歩くことが可能であり、従来のように、渡り床材１が、予想のつき難い早さで幅方向に移動するのに比べて、歩行性の向上を図ることが可能となる。従って、当該通路を避難通路として用いても、充分に安全を確保することが可能である。
【００１９】
（２）パターン
両構造体Ｂどうしの前記平行方向に沿った相対移動に伴って、図３（Ｂ）に示すように、渡り床材１の他端側は、他方の構造体Ｂ２の床面上に載置された状態で一緒に前記平行方向へ動く。その結果、渡り床材１は、一端側の前記枢支軸部Ｓ周りに揺動する。この場合、渡り床材１は、その幅方向へ移動はするものの、構造体Ｂの移動に類似した動きを示す。
【００２０】
本実施形態のエキスパンションジョイントＪによれば、前記渡り床材１は、その他端側が前記他方の構造体上を摺動移動することができ、両構造体Ｂどうしの相対的な移動をその摺動移動によって吸収して、地震時でも、渡り床材１によって通路を確保することができる。そして、特に、前記遠近方向への地震振動に伴っては、渡り床材１は、その幅方向には移動せずに、他端側が前記遠近方向に沿って前記他方の構造体上を摺動するだけの挙動を示すから、渡り床材上を通行する人は、地震時でも平衡感覚を保ったまま容易に歩行することができる。
【００２１】
〔別実施形態〕
以下に他の実施の形態を説明する。
【００２２】
〈１〉  前記枢支軸部Ｓは、先の実施形態で説明したように、渡り床材１に枢支軸１ａ、一方の構造体Ｂ１に枢支穴２を設けて構成するものに限るものではなく、例えば、その逆に、一方の構造体Ｂ１に枢支軸を設け、渡り床材１に枢支穴を設けて構成するものであってもよい。
また、これら枢支軸部Ｓに、図４に示すように、渡り床材１と前記一方の構造体Ｂ１との相対回転に減衰力を与える回転型ダンパーＤを設けてもよく、この場合、地震や風等による揺れに対して、前記回転型ダンパーＤによるエネルギー吸収効果を発揮して、エキスパンションジョイントＪとしての振動減衰を図れる。また、渡り床材１の枢支軸部Ｓに回転型ダンパーＤを納めてあるから、ダンパーそのものを目立ち難い状態に設置でき、意匠性の向上を図ることができる。
因みに、回転型ダンパーＤの一例としては、粘性液体中に入った羽が回転する際に生じる抵抗で減衰力を発現させる所謂『オイルダンパー』を挙げることができる。
〈２〉  また、エキスパンションジョイントＪでの振動減衰に関しては、先の実施形態で説明した回転ダンパーＤに限るものではなく、例えば、図５に示すように、前記渡り床材１の側縁部側に立設してある前記構造体の壁部Ｗに、前記渡り床材１の前記縦軸芯周りの揺動に伴って、前記渡り床材１の側縁部１ｂがめり込んで、前記渡り床材１の揺動に減衰力を与えるめり込み許容部Ｗａを設けるものであってもよい。この場合は、地震や風等による揺れに対して、前記めり込み許容部Ｗａによるエネルギー吸収効果を発揮して、エキスパンションジョイントＪとしての振動減衰を図れる。また、めり込み許容部Ｗａは、日頃は壁部Ｗの一部として存在しているから、単独のダンパーを露出させて設けてあるのに比べて目立ち難い状態に設置でき、意匠性の向上を図ることができる。
因みに、めり込み許容部Ｗａの一例としては、壁部Ｗの蹴込み部を、低降伏点鋼の薄板素材で構成する一方、その蹴込み部に対応する渡り床材１の側縁部は、めり込み許容部Ｗａより強度の高い素材で構成することが例として挙げられる。
【００２３】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２４】
【図１】エキスパンションジョイントの平面図
【図２】エキスパンションジョイントの側面視断面図
【図３】エキスパンションジョイントの作用図
【図４】別実施形態のエキスパンションジョイントの側面視断面図
【図５】別実施形態のエキスパンションジョイントの平面図
【図６】従来例のエキスパンションジョイントの平面図
【図７】従来例のエキスパンションジョイントの平面図
【符号の説明】
【００２５】
１      渡り床材
１ｂ    渡り床材の側縁部
Ｂ      構造体
Ｂ１    一方の構造体
Ｂ２    他方の構造体
Ｄ      回転型ダンパー
Ｓ      枢支軸部
Ｗ      構造体の壁部
Ｗａ    めり込み許容部
【図１】
2009179967.tif 000003
【図２】
2009179967.tif 000004
【図３】
2009179967.tif 000005
【図４】
2009179967.tif 000006
【図５】
2009179967.tif 000007
【図６】
2009179967.tif 000008
【図７】
2009179967.tif 000009